(57)【要約】【課題】  容易に画像データの選択と送信を行えるようにする。【解決手段】  画像データの表示指示があれば、画像データの表示を行う（Ｓ０１、Ｓ０２ステップ）。続いて、送信操作があると（Ｓ０３ステップ）、表示されている画像データが複数枚であるか１枚であるかを判定し（Ｓ０５ステップ）、複数枚であれば、表示されている複数枚の画像データを一度に送信する（Ｓ０６ステップ）、一方、１枚だけであれば、表示されている１枚の画像データを送信する（Ｓ０７ステップ）。【選択図】  図４
2010093357.tif 000002
【特許請求の範囲】
【請求項１】
複数の画像データを格納可能な格納手段と、当該格納手段に格納されている複数の画像データを一度に表示可能な表示手段と、前記画像データを送信可能な送信手段と、入力手段とを有し、
前記表示手段に複数の画像が表示されている状態で、前記入力手段から画像データの送信指示があると、前記表示手段に表示されている画像データに対応する前記格納手段に格納されている画像データを全て前記送信手段が送信することを特徴とする通信装置。
【請求項２】
請求項１に記載の通信装置であり、前記入力手段から画像データの送信指示がある際に、前記表示手段に１つの画像データのみ表示されている場合には、表示されている１つの画像データに対応する前記格納手段に格納されている画像データを前記送信手段が送信することを特徴とする通信装置。
【請求項３】
複数の画像データを格納可能な格納手段と、当該格納手段に格納されている複数の画像データの内、一度に表示可能な枚数の画像データのみ一度に表示可能な表示手段と、前記画像データを送信可能な送信手段と、入力手段とを有し、
前記表示手段に複数の画像が表示されている状態で、前記入力手段から画像データの送信指示があると、前記表示手段に表示されている画像データに対応する前記格納手段に格納されている画像データを前記送信手段が送信し、前記表示手段に表示されておらず且つ前記格納手段に格納されている画像データは前記送信手段が送信しないことを特徴とする通信装置。
【発明の詳細な説明】
【技術分野】
【０００１】
本発明は複数の画像を同時に表示可能な通信装置に関する。
【背景技術】
【０００２】
近年、パーソナルコンピュータから着脱可能な記憶媒体を介して画像データを取り込み、取り込んだ画像データを表示可能であり、更に形状が写真たてである表示装置が製品化されている。
【０００３】
又、このような表示装置に関する技術も数多く公開されており、例えば特許文献１には、通常の写真とデジタル画像の両方をユーザが見ることが可能な表示装置が記載されている。
【特許文献１】特開２００６−６５０３１号公報
【発明の開示】
【発明が解決しようとする課題】
【０００４】
このような表示装置に画像データを保存するには、先ず、パーソナルコンピュータや携帯電話等の電子機器に着脱可能な記憶媒体を装着し、装着した記憶媒体に選択した画像データを書き込み、書き込み終了後に記憶媒体を電子機器から外し、表示装置に装着し、記憶媒体から表示装置に画像データを書き込む、といった面倒な操作をユーザが行う必要があった。
【０００５】
或いは表示装置とパーソナルコンピュータとをケーブルで接続し、ユーザがパーソナルコンピュータに格納されている画像を選択し、選択した画像を表示装置に送信するといった手順を行っていた。
【０００６】
いずれの場合も、ユーザはパーソナルコンピュータや携帯電話に格納されている画像から所望の画像を選択しなければならず、その選択方法としては、画像１枚１枚を送信するか否かのチェックを付して、チェックの付された画像のみ表示装置に送信するものであった。
【課題を解決するための手段】
【０００７】
本発明はこのような課題を解決するものであり、表示装置への画像データの送信操作をできるだけ容易にした通信装置を提供するものである。
請求項１記載の発明は、複数の画像データを格納可能な格納手段と、当該格納手段に格納されている複数の画像データを一度に表示可能な表示手段と、前記画像データを送信可能な送信手段と、入力手段とを有し、前記表示手段に複数の画像が表示されている状態で、前記入力手段から画像データの送信指示があると、前記表示手段に表示されている画像データに対応する前記格納手段に格納されている画像データを全て前記送信手段が送信することを特徴とする。
請求項２記載の発明は、請求項１に記載の通信装置であり、前記入力手段から画像データの送信指示がある際に、前記表示手段に１つの画像データのみ表示されている場合には、表示されている１つの画像データに対応する前記格納手段に格納されている画像データを前記送信手段が送信することを特徴とする。
請求項３記載の発明は、複数の画像データを格納可能な格納手段と、当該格納手段に格納されている複数の画像データの内、一度に表示可能な枚数の画像データのみ一度に表示可能な表示手段と、前記画像データを送信可能な送信手段と、入力手段とを有し、前記表示手段に複数の画像が表示されている状態で、前記入力手段から画像データの送信指示があると、前記表示手段に表示されている画像データに対応する前記格納手段に格納されている画像データを前記送信手段が送信し、前記表示手段に表示されておらず且つ前記格納手段に格納されている画像データは前記送信手段が送信しないことを特徴とする。
【発明の効果】
【０００８】
本発明によれば、複数の画像を表示した状態で例えば特定のキーを１回押下するといった簡単な操作で表示されている複数の画像を一度に送信できる為、従来のように一々カーソルを移動させて画像を選択した後に選択した画像を送信するといった面倒な操作を行う必要がない。また、格納手段に格納されている全ての画像データを送信するのではなく、表示手段に表示されている画像データのみ送信するため、ユーザが真に必要とする画像データのみ送信することが可能である。
【発明を実施するための最良の形態】
【０００９】
本実施例装置である通信装置（例えば携帯電話装置）は、パーソナルコンピュータや着脱可能な記憶媒体から画像データを読み込み表示可能な表示装置に対して、赤外線を用いて画像データを送信可能である。例えば、図１は本実施例装置の使用形態の一例を示す図であるが、図１に示すように、通信装置１を表示装置１００に向けて、ユーザが特定の操作を施すことにより、通信装置１に格納されている画像データを赤外線を用いて表示装置１００に送信することが可能である。また、送信する画像データは一度に１枚のみでも可能であり、複数枚でも可能である。
【００１０】
図２は、本実施例装置の斜視図である。図２において、携帯電話装置１は、ディスプレイ４２を有する第１の筐体１０と、テンキー４８を有する第２の筐体２０とがヒンジ部を介して閉可能に接続されている。図１（ａ）は筐体を閉じた状態の斜視図、図２（ｂ）は筐体を開いた状態の斜視図である。
【００１１】
図３は、本実施例装置のブロック図を示している。図３に示すように、携帯電話装置１は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１２】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。尚、この通信部１２やＣＤＭＡ処理回路１８は電子メールの送受信機能も備えている。
【００１３】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１４】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１５】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動や警告音の鳴動も行う。
切替回路２２は、ベースバンド部１４との接続を、第１スピーカ２６用の増幅回路２４とマイクロホン３０用の増幅回路２８側にするか、あるいは第２スピーカ３４用の増幅回路３２とマイクロホン３０用の増幅回路２８側にするかを切り替える。
【００１６】
また、携帯電話装置１０は、ＧＰＳアンテナ５６と接続されたＧＰＳ通信部５８を備えている。ＧＰＳ通信部５８では、ＧＰＳアンテナ５６がとらえた現在位置情報に関する電波（ＧＰＳデータ）を電気信号に変換処理して制御回路３６に出力する。この制御回路３６では、ＧＰＳデータに基づいて携帯電話装置１０の現在位置情報が算出される。なお、制御回路３６に出力された携帯電話装置１０の現在位置情報は、ＲＡＭ４０に記憶される。
【００１７】
また、通信部１２、ベースバンド部１４、切替回路２２及びＧＰＳ通信部５８には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。
ＲＡＭ４０は、電話番号と氏名とメールアドレス等が対応付けて複数格納された電話帳のデータ、メール本文のデータ、画像データ、音楽データ等が格納されている。
【００１８】
制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、電源キー６４と、を有している。また、制御回路３６には、ディスプレイ４２のバックライトである照明部４６が接続されている。
【００１９】
開閉検出部６０は筐体の開閉を検出する。尚、この開閉検出部は一方の筐体に磁石を、他方の筐体にホール素子を用いた従来の開閉検出機構である。
【００２０】
赤外線通信部は、ＲＡＭ４０に格納されている画像データを赤外線のデータに変換して送信する。また、外部の電子機器（例えば表示装置１００）からの赤外線データを受信する機能も有する。
【００２１】
次に本実施携帯に係る携帯電話装置１の動作について説明する。図４は、本実施例装置の動作を示すフロー図であり、携帯電話装置１から表示装置１００に送信する画像データを選択し、送信する際の動作を示すフロー図である。
まず、Ｓ０１ステップでは、制御回路３６は、入力部からＲＡＭ４０に格納されている画像データの表示指示があると判定すると、Ｓ０２ステップへ処理を進める。
Ｓ０２ステップでは、制御回路３６は、ディスプレイ４２にＲＡＭ４０に格納されている画像データを表示する。尚、画像データの表示形態としては、ＲＡＭ４０に格納されている画像が１枚のみであれば、図５に示すようにディスプレイ４２の画面いっぱいに画像データが表示される。一方、ＲＡＭ４０に格納されている画像データが複数枚存在すれば（例えば４枚）、図６に示すように、ディスプレイ４２には複数の画像が同時に表示されると共に、カーソル４３も表示される。ユーザはこのカーソル４３を移動し決定操作を施すことにより、画像を選択することも可能であるが、このような構成は従来から行われている構成である。
続くＳ０３ステップでは、制御回路３６は、入力部４４から画像送信操作（例えば、機能キーを１回押下）があると判定するとＳ０５ステップへ処理を進め、そうでなければ、Ｓ０４ステップへ処理を進める。
Ｓ０４ステップでは、制御回路３６は、入力部４４から画像データの表示及び送信の処理を中止する指示操作があると判定すると処理を終了し、通常の待受状態に戻り、一方、指示操作がなければＳ０３ステップへ処理を戻す。
Ｓ０５ステップでは、制御回路３６は、現在ディスプレイ４２に表示されている画像データが複数枚であると判定するとＳ０６ステップへ処理を進め、そうでなければＳ０７ステップへ処理を進める。
Ｓ０６ステップでは、制御回路３６は、図６に示すように、ディスプレイ４２に表示されている４つの画像データを全て送信する。具体的には、制御回路３６は、ディスプレイ４２に表示されている４つの画像に対応する画像データをＲＡＭ４０から読み込み、赤外線通信部にて赤外線データに変換して送信させる。送信された赤外線データは、表示装置１００にて受信させ、全ての赤外線データの送信が完了すると、制御回路３６は処理を終了し、待機状態に移る。
一方、Ｓ０７ステップでは、制御回路３６は、図５に示すように、ディスプレイ４２に表示されている１つの画像データを全て送信する。具体的には、制御回路３６は、ディスプレイ４２に表示されている１つの画像に対応する画像データをＲＡＭ４０から読み込み、赤外線通信部にて赤外線データに変換して送信させる。送信された赤外線データは、表示装置１００にて受信させ、全ての赤外線データの送信が完了すると、制御回路３６は処理を終了し、待機状態に移る。
尚、本実施例装置では、Ｓ０６ステップにおいて、ディスプレイ４２に表示されている画像データを全て送信する構成としたが、例えば図７に示すように、ＲＡＭ４０にフォルダ１、フォルダ２、フォルダ３の３つのフォルダが存在し、フォルダ３には画像ａ〜画像ｆの６つの画像が存在する場合で、且つディスプレイ４２には一度に４つの画像のみ表示可能である場合には、上記の実施例では、画像ａ〜画像ｄまでしか一度に送信ができないが、フォルダ３に格納されており且つディスプレイ４２に表示されていない画像ｅと画像ｆも同時に送信可能な構成としても良い。換言すれば、一度に画像ａ〜画像ｆまでの全ての画像を送信可能な構成としても良い。このような構成とする場合は、例えばユーザがフォルダ内の画像データを全て送信したい場合に、簡単な操作で画像データを送信するという効果を奏するものである。
また、次のような構成としても良い。例えば図７のフォルダ２に画像ａ〜画像ｈまでの８つの画像データが存在する場合に、まず画像ａ〜画像ｄまでの画像データをディスプレイ４２に一度に表示した状態で機能キー５４が押下されると、画像ａ〜画像ｄまでの画像データを送信し、続いて、カーソルを移動させ画像ｅ〜画像ｈまでの画像データをディスプレイ４２に一度に表示した状態で再度機能キー５４が押下されると、画像ｅ〜画像ｈまでの画像データを送信する構成としても良い。このような構成とすることにより、ユーザはカーソルを移動させて一々画像データを１枚1枚選択するといった面倒な操作を行う必要がない。
【００２２】
このように、本実施例装置では、例えば、４つの画像を表示した状態で機能キー５４を１回押下するといった簡単な操作で４つの画像を一度に送信できる為、従来のように一々カーソルを移動させて画像を選択した後に選択した画像を送信するといった面倒な操作を行う必要がない。また、ＲＡＭ４０或いはフォルダに格納されている全ての画像データを送信するのではなく、ディスプレイ４２に表示されている画像データのみ送信するため、ユーザが真に必要とする画像データのみ送信することが可能である。
【図面の簡単な説明】
【００２３】
【図１】本発明を適用してなる実施例装置の使用形態図である。
【図２】本実施例装置の斜視図である。
【図３】本実施例装置のブロック図である。
【図４】本実施例装置の動作を示すフロー図である。
【図５】本実施例装置の表示形態を示す図である。
【図６】本実施例装置の表示形態を示す図である。
【図７】本実施例装置のＲＡＭ４０の画像データの格納形態と、表示形態の一例である。
【符号の説明】
【００２４】
１        携帯電話装置
１２      通信部
１４      ベースバンド部
３６      制御回路
４０      ＲＡＭ
４２      ディスプレイ
４４      入力部
１００    表示装置
【図１】
2010093357.tif 000003
【図２】
2010093357.tif 000004
【図３】
2010093357.tif 000005
【図４】
2010093357.tif 000006
【図５】
2010093357.tif 000007
【図６】
2010093357.tif 000008
【図７】
2010093357.tif 000009